(57)【要約】      （修正有）【課題】引戸の開閉部材を摺動可能に保持してなる引戸の開閉において、リニアエンジンレールの取り付けにて引っ張り力によって開閉摺動をさせるように構成した開閉できるリニアエンジンレール付き引戸収納家具を提供する。【解決手段】一枚の戸の寸法が幅４５０〜１２００ｍｍ、高さ９００〜２０００ｍｍで、重量１０〜３０ｋｇである引戸２を持ち、幅９００〜２４００ｍｍ、高さ１０００〜２２００ｍｍ、奥行き４５０〜６００ｍｍの大型収納家具において、開閉戸をタッチによって引戸２の固定レール部を自動的に開閉の移動を可能にしている引戸開閉機構になって、当該家具前面の上部に自動的に稼働できるリニアエンジンレール５を取り付けて、前記レール５に引戸２を１〜４枚を吊り下げている。【選択図】図２
0003206059.tif 000002
【実用新案登録請求の範囲】
【請求項１】
一枚の戸の寸法が幅４５０〜１２００ｍｍ、高さ９００〜２０００ｍｍで、重量１０〜３０ｋｇである引戸を持ち、幅９００〜２４００ｍｍ、高さ１０００〜２２００ｍｍ、奥行き４５０〜６００ｍｍの大型収納家具において、開閉戸をタッチによって引戸の固定レール部を自動的に開閉の移動を可能にしている引戸開閉機構になって、当該家具前面の上部に自動的に稼働できるリニアエンジンレールを取り付けて、前記レールに引戸を１〜４枚を吊り下げていることを特徴とするリニアエンジン付き引戸収納家具
【請求項２】
引戸の上部に取り付けるリニアエンジンレールは、長さ９００〜２４００ｍｍで幅４０〜６０ｍｍのコ字形状のレール部を下向きにして、当該レール部内に戸車のロールの径を１０ｍｍ〜３０ｍｍの戸車を２個〜６個をもって、しかも引戸の下部にガイドレールを取り付けて、当該レール内部に竪型固定ガイドローラーを摺動できるようになっていることを特徴とする請求項１に記載のリニアエンジン付き引戸収納家具
【請求項３】
引戸付き家具における戸の開閉速度は、０．１〜０．７ｍ／ｓｅｃであって、センサー、タッチスイッチ、リモコンによって引戸の開閉を駆動させて、しかも前記開閉駆動をセーフティストップできるような機構にしていることを特徴とする請求項１〜請求項３のいずれかに記載のリニアエンジン付き引戸収納家具
【請求項４】
大型引戸付き家具は、幅９００〜２４００ｍｍ、高さ１０００〜２２００ｍｍ、奥行き４５０〜６００ｍｍの収納型家具である、食器棚、クローゼット、本棚、シューズボックス、店舗什器、医療什器であって、引戸として、ガラス、木製、金属製からなっていることを特徴とする請求項１〜請求項４のいずれかに記載のリニアエンジン付き引戸収納家具
【考案の詳細な説明】
【技術分野】
【０００１】  本考案は、引戸の開閉部材を摺動可能に保持してなる引戸の開閉において、開閉部材を閉止する装置に関し、リニアエンジンレールの取り付けにて引っ張り力によって開閉摺動をさせるように構成した開閉できるリニアエンジンレール付き引戸収納家具に関する。
【背景技術】
【０００２】引戸の開閉部を備えた開閉装置の多くは、開閉部の荒閉まりを防止しつつ、閉止する開閉部材閉止装置を備えている。
この種の装置として、抽斗の側面に取り付けられたロック部と、家具外身の側壁に取り付けられた引き込み装置とを備え、抽斗が閉じられる際、引き込み装置によりロック部のピンを捕捉して家具の奥側に引き込むことにより、抽斗を閉止位置すなわち家具内に完全に収まった状態となる位置に移動させるように構成した閉止装置が知られている（特許文献１参照）。【０００３】  この閉止装置は、ハウジングと、ハウジング内にスライド可能に設けられたキャリッジと、キャリッジの前部に取り付けられたカムと、ハウジングとカムとの間に掛け渡して設けられた引張ばねとを備えている。ハウジングには、カムに設けられたガイドピンを案内するガイドウエイ（スリット）が形成されている。【０００４】  ガイドウエイは、ガイドピンを前後方向すなわち抽斗の移動方向に案内する直線部と、直線部の前端から略直角に折れ曲がった折曲部とを有しており、抽斗が開かれている時にはカムのガイドピンがハウジングのガイドウエイの直線部から折曲部の末端（オフセット末端）に移動することによりカムがハウジングの前部位置に保持される。この時、引張ばねは最も伸張された状態になっている。【０００５】  この状態から抽斗を閉じようとすると、抽斗の側面に取り付けられたロック部のピンと家具外身の側壁に取り付けられた引き込み装置のカムとが噛み合い、カムは後方に押されて回動する。そして、カムのガイドピンがガイドウエイの折曲部から外れて直線部に入ると直ちに、ロック部のピンを捕捉した状態のカムがキャリッジごと引張ばねによって後方に引かれ、それによって抽斗がその移動範囲の最奥部である閉止位置に運ばれる。【０００６】扉体は、複数のフレーム材によって構成される枠体を備え、枠体は、複数のフレーム材を互いに締結した構成である。フレーム材は、アルミニウム又はアルミニウム合金からなる中空状の押し出し材によって構成されている。戸袋体は、ケーシングと、このケーシングに支持される基台とを備え、基台に、扉体を駆動するためのモータと、扉体を案内するリニアレールとが支持されているリニアエンジンを使用したホームドアが提案されている（特許文献２参照）。【０００７】  駅のプラットホーム上に設置されるホーム柵本体と、前記ホーム柵本体の内部に設置され前記ホーム柵本体の両端部から進退動作される一対の扉体と、前記ホーム柵本体の内部に設置され駆動モータおよび制御系機器を搭載する駆動系設置板と、を備えて、前記各扉体の前記ホーム柵本体の内部側端部を支持して前記各扉体を進退自在に案内する２つのリニアレールを前記ホーム柵本体の内部上下位置に設け、前記駆動系設置板は、リニアエンジンを使用したリニアレールの間に配置されているホーム柵装置が提案されている（特許文献３参照）。【０００８】閉扉時の引き込み位置から開扉時の引き出し位置への扉の移動を、また、開扉時の引き出し位置から閉扉時の引き込み位置への扉の移動を、扉に常に下向きに働いている重力の助けを借りて行うようにし、開扉する際には扉をすこし高みにのぼせるようにしてから引き出し位置に落とし込むようにし、閉扉する際には扉をすこし高みにのぼせるようにしてから引き込み位置に落とし込むようにしたリニアエンジンを使用した戸���開閉装置が提案されている（特許文献４参照）。【０００９】リニアエンジンを使用したリニアレールの間に配置した大型収納家具については、存在していなかった。
【先行技術文献】
【特許文献】
【０００６】
【特許文献１】特開２００１−２４５７３８号公報
【特許文献２】特開２０１３−３９９１５号公報
【特許文献３】特開２０１１−１７８３５５号公報
【特許文献４】特開２００７−２９７８９２号公報
【考案の概要】
【考案が解決しようとする課題】
【０００６】    従来の引戸の収納家具は、より大重量の収容物を収容可能な引戸の閉止装置として使用できるようにするためには、引っ張り力をより大きくしなければならない。引戸の大きさや重量が大きくなると、内容物も含めた引戸の荷重の大きさに対して引っ張り力が不足し、引戸の閉止が不完全になる可能性が高くなるからである。【０００７】  従来の閉止装置の構造では、引戸が開かれているときすなわち、カムに設けられたガイドピンがハウジングのガイドウエイの折曲部の末端に位置し、引張ばねが最も伸張された状態になっているときには、引張ばねの引っ張り力がガイドウエイの末端に係合しているガイドピンにすべて掛かることになっている。【０００８】    したがって、従来の開閉される扉付き収納家具の構成はそのままとし、ばねの引っ張り力を大きくした場合、他の部品と比較して小さな部品であるカムにその力をすべて負担させることになるため、より大型のカムを使用するか、またはより高強度の材料を用いて成形したカムを使用しなければならない。大型のカムを使用した場合、それに伴い、そのカムを摺動可能に収容するハウジングも大型化せざるを得ないため、装置の小型化が困難になるという問題がある。また、高強度の材料を用いて成形したカムを用いた場合、装置の製造コストが増大するという問題が生じる。【０００９】  本考案は、上記のような事情に鑑み創案されたものであり、その目的は、引戸などの開閉部材の荷重増に対して、装置を大型化あるいは高価格化することなく対応することができる開閉部材の閉止装置を提供することにある。引戸の開閉部材を固定部材に対して摺動または回動可能に保持してなる引き戸の開閉装置において、弾性体、緩衝体にて引っ張り力で開閉部材を閉止する際に開閉摺動を緩和させるように構成した緩衝機能である開閉部材閉止装置を引戸などの家具に提供することにある。
【課題を解決するための手段】
【００１０】一枚の戸の寸法が幅４５０〜１２００ｍｍ、高さ９００〜２０００ｍｍで、重量１０〜３０ｋｇである引戸を持ち、幅９００〜２４００ｍｍ、高さ１０００〜２２００ｍｍ、奥行き４５０〜６００ｍｍの大型収納家具において、開閉戸をタッチによって引戸の固定レール部を自動的に開閉の移動を可能にしている引戸開閉機構になって、当該家具前面の上部に自動的に稼働できるリニアエンジンレールを取り付けて、前記レールに引戸を１〜４枚を吊り下げているリニアエンジン付き引戸収納家具である。【００１１】引戸の上部に取り付けるリニアエンジンレールは、長さ９００〜２４００ｍｍで幅４０〜６０ｍｍのコ字形状のレール部を下向きにして、当該レール部内に戸車のロールの径を１０ｍｍ〜３０ｍｍの戸車を２個〜６個をもって、しかも引戸の下部にガイドレールを取り付けて、当該レール内部に竪型固定ガイドローラーを摺動できるようになっている。【００１２】引戸付き家具における戸の開閉速度は、０．１〜０．７ｍ／ｓｅｃであって、センサー、タッチスイッチ、リモコンによって引戸の開閉を駆動させて、しかも前記開閉駆動をセーフティストップできるような機構にしている。【００１３】大型引戸付き家具は、幅９００〜２４００ｍｍ、高さ１０００〜２２００ｍｍ、奥行き４５０〜６００ｍｍの収納型家具である、食器棚、クローゼット、本棚、シューズボックス、店舗什器、医療什器であって、引戸として、ガラス、木製、金属製からなっている。
【考案の効果】
【００１４】本考案によるとリニアエンジン付き家具の引戸において、タッチによって開閉駆動で緩衝部である閉止装置によって、弾性体の引っ張り力を、リニアエンジンのレール部に負担させることなく摺動ですべて受けるように構成したことにより、引張り力を大きくしてレールの捕捉を大型化あるいは高強度化する必要がないので、大型収納できる家具における引戸の扉の開閉を容易にもたらせて、引戸部の構造を強靭にしなくて、大型の収納家具の開閉が可能であり、引戸の開閉に対して、引戸などの家具の開閉を容易にして、大型化あるいは高価格化することなく対応することができる。また高齢者、幼児などにも開閉が容易になる。
【図面の簡単な説明】
【００２６】
【図１】本考案のリニアエンジン付き引戸収納家具の図
【図２】リニアエンジン付き引戸の構造の図
【図３】リニアエンジン付き引戸収納家具の使用時における概略の構造図
【図４】リニアエンジン付き引戸の開閉レール部材における戸車と）レール部の構造図  Ａ：正面図  Ｂ：断面図
【図５】ガイドピンと開閉レールの取り付けとガイドピンと緩衝部との図  Ａ：正面図  Ｂ：断面図
【図６】リニアエンジン付き引戸収納家具の部屋内使用実例の図
【考案を実施するための形態】
【００１５】以下、本考案を実施するための最良の形態について説明する。
図１は、本考案のリニアエンジン付き引戸収納家具の図、図２は、リニアエンジン付き引戸収納家具の開閉部材における概略の構造図、図３は、リニアエンジン付き引戸の開閉レール部材の構造図  （ａ）戸車  （ｂ）レール部、図４は、ガイドピンと開閉レールの取り付けとガイドピンと緩衝部との図、図５は、引き戸の構造の図、図６はリニアエンジン付き引戸収納家具の実例の図である。
【実施例１】
【００２０】一枚の戸の寸法が幅８９０ｍｍ、高さ１７７３ｍｍで、ウォールナット突板を張ったフラッシュで厚さ３０ｍｍの重量１５ｋｇである引戸を持ち、幅１８００ｍｍ、高さ１９５０ｍｍ、奥行き５５２ｍｍの大型食器収納家具において、引戸の固定レール部に対して開閉戸をタッチによって自動的に移動開閉可能にしている引戸開閉機構になって、当該家具前面の上部に自動的に稼働できるリニアエンジンレールを取り付けて、前記レールに引戸を２枚を吊り下げた。【００２１】引戸の上部に取り付けるリニアエンジンレールは、幅４８ｍｍのコ字形状の下向きレール部とレール内に戸車のロールの径を２０ｍｍの戸車を４個をもって、長さ１７４０ｍｍであって、しかも前記引戸の下部にガイドレールを取り付けて、ガイドローラーによって摺動できるようになった。【００２２】引戸の上部に取り付けたリニアエンジンレールに付いたガイドピンは、上下の摺動を容易にし、レールとの接触を緩衝させて、ガイドピンを摺動させるレール部は、摺動部材が固定部材と係合している状態にて、ガイドピンの被捕捉部材と係脱可能な部材からなって、突起ガイドピンと緩衝部は、ガイドピン捕捉部の表面に沿って移動した後、復帰して前記レール部に捕捉されるように支持された。【００２３】引戸付き家具における戸の開閉速度は、０．１〜０．５ｍ／ｓｅｃであって、センサー機能によるタッチスイッチによって開閉駆動して、前記開閉駆動をセーフティストップできるような構造のものを使用した。【００２４】  図２で示す大型引戸付き食器収納家具の引戸の大きさは、高さ１７７３ｍｍ、幅８９０ｍｍ、厚み３０ｍｍであり、その材料は突板貼りフラッシュボードを使用した引戸の下部面にコ字状上向きガイドレールを取り絎け、下地にガイドピンと突起ガイドピンを納める穴を加工した。リニアエンジン用ガイドレールを戸の上部に取り付け、開閉方向の前側に入れた。タッチスイッチによって扉のリニアエンジン付き開閉ガイドレールに取り付けた。【００２１】その家具の使用時、家具の隅に取り付けたタッチスイッチを押さえることによって食器収納家具の戸が、自然に開閉ができた。そ戸の開閉速度は平均的に０．３ｍ／秒であった。
【実施例２】
【００２０】一枚の戸の寸法が幅７００ｍｍ、高さ２０００ｍｍで、ウォールナット突板を張ったフラッシュで厚さ３０ｍｍの重量１５ｋｇである引戸を持ち、幅２１００ｍｍ、高さ２１００ｍｍ、奥行き６００ｍｍの大型クローゼット収納家具において、引戸の固定レール部に対して開閉戸をタッチによって自動的に移動開閉可能にしている引戸開閉機構になって、当該家具前面の上部に自動的に稼働できるリニアエンジンレールを取り付けて、前記レールに引戸を３枚を吊り下げた。【００２１】引戸の上部に取り付けるリニアエンジンレールは、幅４８ｍｍのコ字形状の下向きレール部とレール内に戸車のロールの径を２０ｍｍの戸車４個をもって、長さ２１００ｍｍであって、しかも前記引戸の下部にガイドレールを取り付けて、ガイドローラーによって摺動できるようになった。【００２２】引戸の上部に取り付けたリニアエンジンレールに付いたガイドピンは、上下の摺動を容易にし、レールとの接触を緩衝させて、ガイドピンを摺動させるレール部は、摺動部材が固定部材と係合している状態にて、ガイドピンの被捕捉部材と係脱可能な部材からなって、突起ガイドピンと緩衝部は、ガイドピン捕捉部の表面に沿って移動した後、復帰して前記レール部に捕捉されるように支持された。【００２３】引戸付き家具における戸の開閉速度は、０．４ｍ／ｓｅｃであって、センサー機能によるタッチスイッチによって開閉駆動して、前記開閉駆動をセーフティストップできるような構造のものを使用した。【００２４】  図２で示す大型引戸付き食器収納家具の引戸の大きさは、高さ２０００ｍｍ、幅７００ｍｍ、厚み３０ｍｍであり、その材料は突板貼りフラッシュボードを使用した引戸の下部面にコ字状上向きガイドレールを取り絎け、下地にガイドピンと突起ガイドピンを納める穴を加工した。リニアエンジン用ガイドレールを戸の上部に取り付け、開閉方向の前側に入れた。タッチスイッチによって扉のリニアエンジン付き開閉ガイドレールに取り付けた。【００２１】その家具の使用時、家具の隅に取り付けたタッチスイッチを押さえることによって食器収納家具の戸が、自然に開閉ができた。そ戸の開閉速度は平均的に０．３ｍ／秒であった。
【実施例３】
【００２０】一枚の戸の寸法が幅６００ｍｍ、高さ２０００ｍｍで、ウォールナット突板を張ったフラッシュで厚さ２９ｍｍの重量１８ｋｇである引戸を持ち、幅２４００ｍｍ、高さ２２００ｍｍ、奥行き５５２ｍｍの大型本棚収納家具において、引戸の固定レール部に対して開閉戸をタッチによって自動的に移動開閉可能にしている引戸開閉機構になって、当該家具前面の上部に自動的に稼働できるリニアエンジンレールを取り付けて、前記レールに引戸を４枚を吊り下げた。【００２１】引戸の上部に取り付けるリニアエンジンレールは、幅４８ｍｍのコ字形状の下向きレール部とレール内に戸車のロールの径を２０ｍｍの戸車４個をもって、長さ２０００ｍｍであって、しかも前記引戸の下部にガイドレールを取り付けて、ガイドローラーによって摺動できるようになった。【００２２】引戸の上部に取り付けたリニアエンジンレールに付いたガイドピンは、上下の摺動を容易にし、レールとの接触を緩衝させて、ガイドピンを摺動させるレール部は、摺動部材が固定部材と係合している状態にて、ガイドピンの被捕捉部材と係脱可能な部材からなって、突起ガイドピンと緩衝部は、ガイドピン捕捉部の表面に沿って移動した後、復帰して前記レール部に捕捉されるように支持された。【００２３】引戸付き家具における戸の開閉速度は、０．２ｍ／ｓｅｃであって、センサー機能によるタッチスイッチによって開閉駆動して、前記開閉駆動をセーフティストップできるような構造のものを使用した。【００２４】  図２で示す大型引戸付き食器収納家具の引戸の大きさは、高さ２０００ｍｍ、幅６００ｍｍ、厚み２９ｍｍであり、その材料は突板貼りフラッシュボードを使用した引戸の下部面にコ字状上向きガイドレールを取り絎け、下地にガイドピンと突起ガイドピンを納める穴を加工した。リニアエンジン用ガイドレールを戸の上部に取り付け、開閉方向の前側に入れた。タッチスイッチによって扉のリニアエンジン付き開閉ガイドレールに取り付けた。【００２５】その家具の使用時、家具の隅に取り付けたタッチスイッチを押さえることによって食器収納家具の戸が、自然に開閉ができた。そ戸の開閉速度は平均的に０．３ｍ／秒であった。
【符号の説明】
【００２６】１  天板
２  引戸
３  吊戸車
４  ガイドピン用ガイドレール
５  リニアエンジン用ガイドレール
６  ガイドピン（左戸用）
７  ガイドピン（右戸用）
８  取手
９  棚板
１０  引出
１１  リニアエンジン
１２  エンジン用マグネット
１３  車固定具
１４  センサー
１５  開閉タッチスイッチ
１６  リニアエンジン付引戸収納家具
【図１】
0003206059.tif 000003
【図２】
0003206059.tif 000004
【図３】
0003206059.tif 000005
【図４】
0003206059.tif 000006
【図５】
0003206059.tif 000007
【図６】
0003206059.tif 000008
【手続補正書】
【提出日】平成28年6月20日(2016.6.20)
【手続補正１】
【補正対象書類名】実用新案登録請求の範囲
【補正対象項目名】全文
【補正方法】変更
【補正の内容】
【実用新案登録請求の範囲】
【請求項１】
一枚の戸の寸法が幅４５０〜１２００ｍｍ、高さ９００〜２０００ｍｍで、重量１０〜３０ｋｇである引戸を持ち、幅９００〜２４００ｍｍ、高さ１０００〜２２００ｍｍ、奥行き４５０〜６００ｍｍの大型収納家具において、開閉戸をタッチによって引戸の固定レール部を自動的に開閉の移動を可能にしている引戸開閉機構になって、当該家具前面の上部に自動的に稼働できるリニアエンジンレールを取り付けて、前記レールに引戸を１〜４枚を吊り下げていることを特徴とするリニアエンジン付き引戸収納家具
【請求項２】
引戸の上部に取り付けるリニアエンジンレールは、長さ９００〜２４００ｍｍで幅４０〜６０ｍｍのコ字形状のレール部を下向きにして、当該レール部内に戸車のロールの径を１０ｍｍ〜３０ｍｍの戸車を２個〜６個をもって、しかも引戸の下部にガイドレールを取り付けて、当該レール内部に竪型固定ガイドローラーを摺動できるようになっていることを特徴とする請求項１に記載のリニアエンジン付き引戸収納家具
【請求項３】
引戸付き家具における戸の開閉速度は、０．１〜０．７ｍ／ｓｅｃであって、センサー、又はタッチスイッチ、又はリモコンによって引戸の開閉を駆動させて、しかも前記開閉駆動をセーフティストップできるような機構にしていることを特徴とする請求項１、又は請求項２に記載のリニアエンジン付き引戸収納家具
【請求項４】
大型引戸付き家具は、幅９００〜２４００ｍｍ、高さ１０００〜２２００ｍｍ、奥行き４５０〜６００ｍｍの収納型の、食器棚、又はクローゼット、又は本棚、又はシューズボックス、又は店舗什器、又は医療什器とから選ばれた家具であって、前記家具に使用されている引戸として、ガラス製、又は木製、又は金属製から選ばれたものであることを特徴とする請求項１〜請求項３のいずれかに記載のリニアエンジン付き引戸収納家具